(57)【要約】【課題】  遊技球を遊技媒体とするスロットマシンにあって、遊技球の補充作業を好適に省力化する。【解決手段】  下皿部材１９に取込口６６を形成し、球取込装置５０により、下部貯留領域２１から遊技球ｘを取り込むようにする。そして、これと共に、上皿部材８の上部貯留領域３６と、下部貯留領域２１とを連通する連絡通路３８を設け、払出装置３１から払い出した遊技球ｘを、上部貯留領域３６に払い出す共に、連絡通路３８を介して上部貯留領域３６から下部貯留領域２１へ遊技球ｘを流下させることにより、上部貯留領域３６の遊技球ｘを下部貯留領域２１に適時補充可能とした。【選択図】  図５
2006006475.tif 000002
【特許請求の範囲】
【請求項１】
遊技島に起立状に配設される外枠と、該外枠の前面開口部を覆う遊技機本体とからなり、パチンコ機用の遊技球を遊技媒体とするスロットマシンにおいて、
遊技機本体の前面に設けられ、遊技球を貯留する上部貯留領域を有する上皿部材と、
該上皿部材の下方に設けられ、遊技球を貯留する下部貯留領域を有する下皿部材と、
遊技球を上部貯留領域へ払い出す払出装置と、
上部貯留領域の遊技球を下部貯留領域へ流下させる連絡通路と、
下皿部材に形成されて、下部貯留領域の遊技球が流出する取込口と、
該取込口と連通し、遊技開始に必要な数の遊技球を、下部貯留領域から取り込む球取込装置と
を備えたことを特徴とするスロットマシン。
【請求項２】
下部貯留領域の遊技球の貯留量が、所定量以上となると作動する貯留量検出部材と、
連絡通路を遊技球が流下可能とする開放位置と流下不可能とする閉鎖位置とに選択的に保持される開閉部材と、
貯留量検出部材の作動時には、開閉部材を閉鎖位置とし、貯留量検出部材の非作動時には、開閉部材を開放位置とする連係制御手段と
を備えたことを特徴とする請求項１記載のスロットマシン。
【請求項３】
貯留量検出部材が、下部貯留領域が遊技球で満杯である時に作動する満杯作動部材であることを特徴とする請求項２記載のスロットマシン。
【請求項４】
満杯作動部材は、
連絡通路に臨んで軸支され、通常は定常位置に付勢されており、下部貯留領域の満杯時には、連絡通路に滞留した遊技球に押圧されて定常位置から作動位置へと傾動するものであり、
開閉部材は、
満杯作動部材の上方に設けられ、連絡通路の、満杯作動部材の上方位置において、連絡通路を遊技球が流下可能とする開放位置と流下不可能とする閉鎖位置とに選択的に保持されるものであると共に、
連係制御手段を、
満杯作動部材と開閉部材を機械的に連係し、満杯作動部材の定常位置では開閉部材を開放位置として、満杯作動部材が作動位置となると、開閉部材を閉鎖位置に変換する連係制御機構により構成したことを特徴とする請求項３記載のスロットマシン。
【請求項５】
連絡通路の側部に、下部貯留領域の満杯時に遊技球が侵入する待機領域を連成し、
満杯作動部材は、下部貯留領域の満杯時に、待機領域に滞留した遊技球に押圧されて、該待機領域から退避する作動位置へ傾動するものであり、
開閉部材は、傾動可能に軸支されて、閉止位置で連絡通路を遊技球が流下不可能とするものであり、
連係制御機構は、満杯作動部材が定常位置から作動位置に変換すると、開閉部材を開放位置から閉鎖位置へ傾動変換するものである
ことを特徴とする請求項４記載のスロットマシン。
【請求項６】
貯留量検出部材は、
連絡通路に臨んで設けられ、下部貯留領域の満杯時に、連絡通路に滞留した遊技球に反応して作動する満杯作動スイッチにより構成されるものであり、
開閉部材は、
満杯作動スイッチの上方に設けられ、連絡通路の、満杯作動スイッチの上方位置において、遊技球の流下を妨げる閉鎖位置と、遊技球の流下を妨げない開放位置とに選択的に保持されるものであり、
連係制御手段は、
満杯作動スイッチと開閉部材を電気的に連係し、満杯作動スイッチの非作動時には開閉部材を開放位置として、満杯作動スイッチが作動すると、開閉部材を閉鎖位置に変換するものであることを特徴とする請求項２記載のスロットマシン。
【発明の詳細な説明】
【技術分野】
【０００１】
本発明は、パチンコ機用の遊技球を遊技媒体とするスロットマシンに関する。
【背景技術】
【０００２】
パチンコ機用の遊技球を遊技媒体とするスロットマシンが提案されている。かかるスロットマシンでは、通常、遊技媒体として使用されるメダルの替わりに、遊技球を遊技機に投入することにより回転ドラムが回転可能となり、回転ドラムの停止時に所定の当り態様となると、所定個数の遊技球が遊技者に払い出される。こうしたスロットマシンは、パチンコ機に用いる遊技球を使用して遊技できるため、パチンコ機と併存させて遊技場に備え付けることにより、遊技者は一種類の遊技媒体でパチンコ機とスロットマシンの両方を楽しむことが可能であり、遊技者の利便性を向上させることができる。
【０００３】
また、このスロットマシンは、遊技場のパチンコ機用の遊技島に装着し、パチンコ機用の球供給排出機構を利用させるようにすれば、遊技場にとっても設備を簡略化でき、遊技媒体の管理費も抑制できる。このため、既に提案されている構成は、遊技場のパチンコ機用の遊技島に起立状に配設される外枠と、該外枠の前面開口部を覆う遊技機本体とからなり、パチンコ機用の遊技島から遊技球を好適に受け入れ、使用済みの遊技球を遊技島に排出し得るようになっている（例えば特許文献１、特許文献２）。また、これらのスロットマシンには、既存のパチンコ機同様に、遊技機本体の前面に上下の皿部材が設けられており、払出装置から上皿部材の上部貯留領域に遊技球を払い出すと共に、上部貯留領域が遊技球で満杯の場合には、下皿部材の下部貯留領域に遊技球を払い出して貯留するようにしている。ここで、パチンコ機は、上部貯留領域に遊技球を貯留しておき、貯留した遊技球を、遊技球の発射作動に伴い、発射装置へ順次供給するのに対し、上記スロットマシンは、遊技球を取り込む球取込装置を備え、回転ドラムを用いた遊技を開始する度に、上皿部材の上部貯留領域に貯留した遊技球を、遊技開始に必要な数だけ球取込装置に取り込むようにしている。
【０００４】
【特許文献１】特公平７−４７０５６号公報
【特許文献２】特開２００１−２９９９９５号公報
【発明の開示】
【発明が解決しようとする課題】
【０００５】
ところが、かかる上皿部材と下皿部材の構成は、パチンコ機に適合するように種々の工夫がなされたものであるが、上記スロットマシンに流用すると不具合が生じる。すなわち、かかる構成では、下部貯留領域に貯留された遊技球を、上部貯留領域の遊技球が不足した時に、遊技者が手ずから上部貯留領域に移し替えて、遊技球を補充するようになっているが、パチンコ機では、遊技操作のほとんどがハンドルの回動操作により行われ、遊技操作が極めて簡単であるのに対し、スロットマシンは遊技操作が比較的複雑であり、かかる遊技球の補充作業と遊技操作を同時には行い難く、遊技球を上部貯留領域に補充する度に遊技を中断しなくてはならない。
【０００６】
本発明は、かかる現状に鑑みてなされたものであり、遊技球を遊技媒体とするスロットマシンにあって、遊技球の補充作業を好適に省力化し得る構成の提供を目的とする。
【課題を解決するための手段】
【０００７】
本発明は、遊技島に起立状に配設される外枠と、該外枠の前面開口部を覆う遊技機本体とからなり、パチンコ機用の遊技球を遊技媒体とするスロットマシンにおいて、遊技機本体の前面に設けられ、遊技球を貯留する上部貯留領域を有する上皿部材と、該上皿部材の下方に設けられ、遊技球を貯留する下部貯留領域を有する下皿部材と、遊技球を上部貯留領域へ払い出す払出装置と、上部貯留領域の遊技球を下部貯留領域へ流下させる連絡通路と、下皿部材に形成されて、下部貯留領域の遊技球が流出する取込口と、該取込口と連通し、遊技開始に必要な数の遊技球を、下部貯留領域から取り込む球取込装置とを備えたことを特徴とするスロットマシンである（請求項１）。
【０００８】
かかる構成にあっては、従来構成とは異なり、上皿部材ではなく、下皿部材に取込口を設け、該取込口から流出した下部貯留領域の遊技球を球取込装置より取り込むようにする。そしてこれと共に、払出装置により、上皿部材の上部貯留領域に遊技球を払い出し、さらに、連絡通路を介して、上部貯留領域の遊技球を、下部貯留領域に流下させるようにしている。すなわち、遊技球は、上部貯留領域と下部貯留領域に貯留されるが、遊技球を下部貯留領域から取り込むようにしているため、球取込装置に取り込まれて、下部貯留領域の遊技球が不足した場合に、下皿部材から上皿部材ではなく、上皿部材から下皿部材に遊技球を補充する。従って、本構成にあっては、遊技球を手で移し替えたり、動力を用いて遊技球を移し替えることなく、連絡通路を介して、上部貯留領域から下部貯留領域に遊技球を流下させるだけで、下部貯留領域に遊技球を補充できる。
【０００９】
ここで、連絡通路を常に開放し、上部貯留領域から下部貯留領域へ遊技球を無制限に流下可能にすると、上部貯留領域の遊技球は常に下部貯留領域へ流れ込もうとするため、下部貯留領域に流入しようとする遊技球の圧力（球圧）により、下部貯留領域において遊技球が溢れたり、球詰りが生じたりする懸念がある。このため、連絡通路を、遊技球が流下可能となる開放位置と流下不可能となる閉鎖位置とに選択的に保持される開閉部材を設け、下部貯留領域の貯留量が所定量以上となると、開閉部材を閉鎖位置に変換し、上部貯留領域からの遊技球の流下を制限することで、下部貯留領域の貯留量を適正範囲に維持することが望ましい。この開閉部材は、遊技者が必要に応じて手動で移動させて、連絡通路を開閉させる構成でも構わないが、下部貯留領域の貯留量に応じて、開閉部材を自動的に開放位置と閉鎖位置に変位させることも可能である。例えば、下部貯留領域の遊技球の貯留量が、所定量以上となると作動する貯留量検出部材と、連絡通路を遊技球が流下可能とする開放位置と流下不可能とする閉鎖位置とに選択的に保持される開閉部材と、貯留量検出部材の作動時には、開閉部材を閉鎖位置とし、貯留量検出部材の非作動時には、開閉部材を開放位置とする連係制御手段とを備えた構成が提案される（請求項２）。ここで開閉部材を変位させ、両位置に選択的に保持する機構は、電気的な駆動装置や、機械的な連係機構、弾性部材等によって好適に実現可能である。このように、貯留量検出部材と連係制御手段により、下部貯留領域の貯留状態に応じて開閉部材を変位させれば、連絡通路を流下する遊技球を自動的かつ適切に制限することができ、また、遊技者が開閉部材を操作する手間も省くことができる。
【００１０】
ここで、貯留量検出部材は、下部貯留領域が満杯となる前に作動させて、上部貯留領域からの遊技球の流入を制限するようにしても、下部貯留領域の遊技球を溢れさせることなく安定して貯留できるが、一方で、下部貯留領域に遊技球を受け入れるスペースが残っている状態で、上部貯留領域からの遊技球の流入を制限すると、かかるスペースは遊技球が貯留されずに無駄になってしまう。従って、貯留量検出部材は、下部貯留領域が遊技球で満杯である時に作動する満杯作動部材であることが好ましい（請求項３）。かかる構成によれば、連絡通路は、下部貯留領域が満杯となるまで遊技球が流下可能であり、下部貯留領域が満杯となって始めて遊技球が連絡通路を流下不可能となる。このため、下部貯留領域が満杯となるまで、上部貯留領域から遊技球を自動的に補充することができ、下部貯留領域への遊技球の流下を制限しつつも、下部貯留領域に遊技球を最大限に貯留することができる。
【００１１】
ここで、上記満杯検知部材や連係制御手段は、電装品を用いず、機械的な構成によって実現可能である。すなわち、満杯作動部材は、連絡通路に臨んで軸支され、通常は定常位置に付勢されており、下部貯留領域の満杯時には、連絡通路に滞留した遊技球に押圧されて定常位置から作動位置へと傾動するものであり、開閉部材は、満杯作動部材の上方に設けられ、連絡通路の、満杯作動部材の上方位置において、連絡通路を遊技球が流下可能とする開放位置と流下不可能とする閉鎖位置とに選択的に保持されるものであると共に、連係制御手段を、満杯作動部材と開閉部材を機械的に連係し、満杯作動部材の定常位置では開閉部材を開放位置として、満杯作動部材が作動位置となると、開閉部材を閉鎖位置に変換する連係制御機構により構成することが提案される（請求項４）。ここで、満杯作動部材は、定常位置を非作動状態、作動位置を作動状態とするものであり、下部貯留領域が遊技球で満杯となると、満杯作動部材が連絡通路に滞留した遊技球に押圧されて定常位置から作動位置へ傾動して作動する。そして、この満杯作動部材の傾動は、連絡制御手段により、機械的に開閉部材へとへと伝達されて、開閉部材を閉鎖位置に従動し、連絡通路が閉鎖される。一方、かかる満杯状態から下部貯留領域に空きが生じると、連絡通路に滞留していた遊技球が下部貯留領域に流入し、満杯作動部材が定常位置に復帰する。そして、この復帰に合わせて、開閉部材が開放位置に傾動して、再び遊技球が連絡通路を流下可能な状態となる。このように、機械的な構成によって、連絡通路の遊技球の流下を制御すれば、電装品を設けるよりも、部品点数やコストが少なくて済むと共に、電力供給のためのケーブル等も要しないため、構成が単純となる。
【００１２】
より具体的構成としては、連絡通路の側部に、下部貯留領域の満杯時に遊技球が侵入する待機領域を連成し、満杯作動部材は、下部貯留領域の満杯時に、待機領域に滞留した遊技球に押圧されて、該待機領域から退避する作動位置へ傾動するものであり、開閉部材は、傾動可能に軸支されて、閉止位置で連絡通路を遊技球が流下不可能とするものであり、連係制御機構は、満杯作動部材が定常位置から作動位置に変換すると、開閉部材を開放位置から閉鎖位置へ傾動変換するものである構成が挙げられる（請求項５）。ここで待機領域は、遊技球が連絡通路を円滑流下可能な場合には、遊技球が侵入し得ないようになっており、下部貯留領域が満杯となり、遊技球が連絡通路から流出不可能となった場合にのみ、滞留した遊技球がこの待機領域に侵入するようになっている。そして、待機領域を臨むように満杯作動部材を設け、該満杯作動部材を侵入した遊技球によって傾動させることにより、機械的な満杯作動部材を、下部貯留領域の貯留量に応じて確実に作動させることができる。また、満杯作動部材と開閉部材の双方が、傾動変位するものであるため、歯車機構等の簡易な連係制御機構により、両部材を好適に連動可能である。
【００１３】
一方で、貯留量検出部材や連係制御手段に、電装品を用いることも可能である。すなわち、貯留量検出部材は、連絡通路に臨んで設けられ、下部貯留領域の満杯時に、連絡通路に滞留した遊技球に反応して作動する満杯作動スイッチにより構成されるものであり、開閉部材は、満杯作動スイッチの上方に設けられ、連絡通路の、満杯作動スイッチの上方位置において、遊技球の流下を妨げる閉鎖位置と、遊技球の流下を妨げない開放位置とに選択的に保持されるものであり、連係制御手段は、満杯作動スイッチと開閉部材を電気的に連係し、満杯作動スイッチの非作動時には開閉部材を開放位置として、満杯作動スイッチが作動すると、開閉部材を閉鎖位置に変換するものである構成が提案される（請求項６）。ここで、満杯作動スイッチは、連絡通路の中途位置に遊技球が長時間滞留したことに起因して作動するものでもよいし、連絡通路の側部の待機領域に設けられ、待機領域に侵入した遊技球に反応して作動させるものでもよい。また、連係制御手段は、開閉部材を変換するモータやソレノイド等の電気的駆動装置と、該電気的駆動装置を満杯作動スイッチの作動状態に応じて作動させるための電気回路とにより好適に構成できる。この電気回路は、遊技を制御する制御回路に組み込むことも可能であるが、独立した電気回路によっても実現可能である。
【発明の効果】
【００１４】
以上に述べたように、本発明は、上部貯留領域を有する上皿部材と、下部貯留領域を有する下皿部材と、遊技球を上部貯留領域へ払い出す払出装置と、上部貯留領域の遊技球を下部貯留領域へ流下させる連絡通路と、下部貯留領域の遊技球が流出する取込口と、該取込口と連通し、遊技開始に必要な数の遊技球を、下部貯留領域から取り込む球取込装置とを備えたスロットマシンであるから（請求項１）、遊技球が球取込装置に取り込まれ、下部貯留領域の遊技球が不足した際に、上部貯留領域に貯留する遊技球を、連絡通路を介して下部貯留領域に流下させるだけで補充することができる。すなわち、本発明では、遊技者の手により遊技球を移し替えることなく、遊技球を容易に補充可能であるため、遊技者は、スロットマシンの遊技操作を行いながらでも、遊技球を下部貯留領域に補充することができる。また、本発明では、遊技球を補充するのに駆動力を要しないため、簡易な構成により実現できる。さらに、遊技球を上方の遊技盤に発射するパチンコ機とは異なり、遊技球を遊技媒体とするスロットマシンは、遊技球を球取込装置に取り込んで、遊技島側へ排出するだけの比較的単純な構成であり、遊技球を上方へ導くための通路等を要しないため、遊技球を下部貯留領域から取り込むようにしても、他の機構と抵触して弊害を生じることがない。
【００１５】
ここで、下部貯留領域の遊技球の貯留量が、所定量以上となると作動する貯留量検出部材と、連絡通路を遊技球が流下可能とする開放位置と流下不可能とする閉鎖位置とに選択的に保持される開閉部材と、貯留量検出部材の作動時には、開閉部材を閉鎖位置とし、貯留量検出部材の非作動時には、開閉部材を開放位置とする連係制御手段とを備えた場合には（請求項２）、下部貯留領域の貯留量が予め定められた量を超えると、開閉部材が閉止位置に変換保持されて、遊技球が連絡通路を流下不可能な状態となる。このため、上部貯留領域に多量の遊技球が貯留されたとしても、かかる遊技球の球圧は、連絡通路を介して下部貯留領域に加わることがなく、上部貯留領域からの球圧により、溢れさせたり、詰まらせたりすることなく、下部貯留領域に遊技球を適正範囲で安定して貯留することができ、球取込装置を安定した状態で作動させることができる。また、下部貯留領域の貯留状態に応じて、開閉部材は自動的に作動するため、上部貯留領域と下部貯留領域の両方に貯留された遊技球を遊技者が開閉部材を移動操作する手間を要せずに取り込みに供することができ、また、開閉部材を状況に応じて、正確に作動させることができる。特に、球取込装置は、パチンコ機の発射装置と異なり、遊技球を所定個数単位で取り込むものであるため、取込前に必要数の遊技球が存在していることを確認させることが望ましく、下部貯留領域に取込口へ至る整流通路を設け、該整流通路に整列した遊技球数を計数することが提案されているが、本発明のように下部貯留領域の遊技球量を、常に適正範囲に制限すれば、整流通路の遊技球の整列状態を安定させることができ、かかる遊技球の確認を確実に行うことができる。
【００１６】
そして、貯留量検出部材を、下部貯留領域が遊技球で満杯である時に作動する満杯作動部材により構成した場合には（請求項３）、下部貯留領域への遊技球の流下を制限して、下部貯留領域の遊技球の貯留態様を安定化させつつも、下部貯留領域が満杯となるまで、遊技球を貯留することができる。
【００１７】
また、満杯作動部材は、連絡通路に臨んで軸支され、通常は定常位置に付勢されており、下部貯留領域の満杯時には、連絡通路に滞留した遊技球に押圧されて定常位置から作動位置へと傾動するものであり、開閉部材は、満杯作動部材の上方に設けられ、連絡通路の、満杯作動部材の上方位置において、連絡通路を遊技球が流下可能とする開放位置と流下不可能とする閉鎖位置とに選択的に保持されるものであると共に、連係制御手段を、満杯作動部材と開閉部材を機械的に連係し、満杯作動部材の定常位置では開閉部材を開放位置として、満杯作動部材が作動位置となると、開閉部材を閉鎖位置に変換する連係制御機構により構成した場合には（請求項４）、連絡通路の遊技球の流れが機械的機構により制御されるため、部品点数が少なく、満杯作動部材や連係制御手段を容易かつ低廉に製造できる。また、電力を要せず、自己完結的な構成であるため、遊技制御手段等の構成に関わりなく多様な機種に採用することができる。
【００１８】
さらに、連絡通路の側部に、下部貯留領域の満杯時に遊技球が侵入する待機領域を連成し、満杯作動部材は、下部貯留領域の満杯時に、待機領域に滞留した遊技球に押圧されて、該待機領域から退避する作動位置へ傾動するものであり、開閉部材は、傾動可能に軸支されて、閉止位置で連絡通路を遊技球が流下不可能とするものであり、連係制御機構は、満杯作動部材が定常位置から作動位置に変換すると、開閉部材を開放位置から閉鎖位置へ傾動変換するものである場合には（請求項５）、機械的な満杯作動部材を、下部貯留領域の貯留量に応じて確実に作動させることができる。また、歯車機構等の簡易な連係制御機構により、満杯作動部材と開閉部材を好適に連係し得る。
【００１９】
一方、貯留量検出部材は、連絡通路に臨んで設けられ、下部貯留領域の満杯時に、連絡通路に滞留した遊技球に反応して作動する満杯作動スイッチにより構成されるものであり、開閉部材は、満杯作動スイッチの上方に設けられ、連絡通路の、満杯作動スイッチの上方位置において、遊技球の流下を妨げる閉鎖位置と、遊技球の流下を妨げない開放位置とに選択的に保持されるものであり、連係制御手段は、満杯作動スイッチと開閉部材を電気的に連係し、満杯作動スイッチの非作動時には開閉部材を開放位置として、満杯作動スイッチが作動すると、開閉部材を閉鎖位置に変換するものである場合には（請求項６）、開閉部材の位置変換を電気的に制御するため、多様な制御態様を実現できる。また、満杯作動スイッチと開閉部材とはリード線を介して連係するため、二つを離間させたとしても、無理なく連係することが可能であり、設計配置の自由度が高い。
【発明を実施するための最良の形態】
【００２０】
本発明の実施形態を、以下の実施例に従って説明する。
本実施例のスロットマシン１は、パチンコ機用の遊技球を遊技媒体として用いるものであり、一般のパチンコ機用の遊技島に対してパチンコ機同様に取り付け可能となっている。すなわち、このスロットマシン１は、図１〜３に示すように、遊技島に起立状に配設されるパチンコ機と同形状の外枠２と、該外枠２にヒンジ部材９を介して枢着されて、該外枠２の前面開口部を覆う遊技機本体３とからなる。また、スロットマシン１の左側には、スロットマシン１と接続されて、貸球数を記憶したプリペイドカードの読込みや書込みを行うカードユニット１１が付属装置として装着される。
【００２１】
遊技機本体３は、図１〜３に示すように、ヒンジ部材９を介して外枠２に直接枢着する板状の前枠４や、該前枠４の背面側に着脱可能に取り付けられて、遊技球の流路を形成する裏機構板５等により構成される。そして、この遊技機本体３の前面側を覆うように前扉６が枢着され、さらに遊技機本体３の前面下部には、取付パネル３３に固定された下皿部材１９が着脱可能に取り付けられる。
【００２２】
前枠４は、外枠２に内嵌し得る形状に成形された板状樹脂材よりなり、図１，３に示すように、その上部中央に、外周面に多種類の図柄Ｐが配された３つの回転ドラム１２ａ〜１２ｃを備える。これらの回転ドラム１２ａ〜１２ｃは、これらを個別に駆動するドラムモータ及び該モータを支持する支持部材に組み付けられて、一体のドラムユニット１０（図３参照）を構成しており、このドラムユニット１０が、前枠４の背面側に取り付けられる。なお、このドラムユニット１０は、既存のスロットマシンのものを好適に用いることができる。そして、前枠４の、ドラムユニット１０の装着部位には、各回転ドラム１２ａ〜１２ｃを前方から視認可能とする表示窓２３が形成され、この表示窓２３に回転ドラム１２ａ〜１２ｃ正面の図柄Ｐが表出される。また、表示窓２３の下方には、レギュラーボーナス中の入賞回数等を表示するゲーム回数表示器１４や、一回の入賞により獲得した賞球数が表示される払出数表示器１５、払出動作が完了していない遊技球数を表示する未払出数表示器１６が横並びに配設される。さらに、表示窓２３の左側には、有効な入賞ラインを遊技者に報知する入賞ラインランプ２４が設けられる。また、表示窓２３の上方には、遊技状態に合わせて多様な演出パターンを表出する液晶表示装置２９も配設される。
【００２３】
前扉６は、図１，２に示すように、前枠４の前面を、上縁から下部にかけて覆う矩形板状をなし、その左縁に設けられたヒンジ部材（図示省略）を介して開閉可能に取り付けられる。この前扉６の上部には、略矩形のガラス板３２が嵌め込まれており、前枠４に設けられた表示窓２３や液晶表示装置２９を透過視可能としている。そして、前扉６の、ガラス板３２の下方位置には操作部３９が形成される。この操作部３９には、正面視左側よりスタートランプ４０、スタートレバー４１、三つのＢＥＴボタン４２ａ〜４２ｃ、ストップボタン４３ａ〜４３ｃが横並びに設けられており、これらのボタンやレバーの操作により遊技が実行される。スタートランプ４０は、回転ドラム１２ａ〜１２ｃが回転開始可能であることを遊技者に報知するためのものであり、このスタートランプ４０の点灯時にスタートレバー４１を押し下げると、各回転ドラム１２ａ〜１２ｃが回転開始する。ＢＥＴボタン４２ａ〜４２ｃは、賭数単位で遊技球を投入するための投入スイッチを構成するものであり、後述するように、これらのボタン操作により下皿部材１９内の遊技球が自動的に遊技機内へ取り込まれる。また、ストップボタン４３ａ〜４３ｃは回転ドラム１２ａ〜１２ｃの停止操作に用いるものであり、回転ドラム１２ａ〜１２ｃの回転中にこれらのボタンを押圧操作すると、この操作タイミングに基づいて制御装置が各ボタンに対応する回転ドラム１２ａ〜１２ｃを停止させる。また、上記の各ボタン４２ａ〜４２ｃ，４３ａ〜４３ｃは、スイッチとランプを備え、ボタン操作は各スイッチのＯＮ作動により後述の主制御基板１００へ伝えられると共に、夫々のランプの点灯によりボタン操作が有効であることを遊技者に報知するようになっている。
【００２４】
さらに、図１，２に示すように、前扉６の前面の、操作部３９の下方位置には、上皿部材８が取り付けられる。この上皿部材８の上部には、遊技球を貯留する上部貯留領域３６が形成されており、該上部貯留領域３６に、左側後部に開口する球供給口３５から流入した遊技球等が貯留され、貯留された遊技球は、右側底面に開口する連絡通路３８の流入口９１へと順次流入し、後述する下部貯留領域２１へと流下するようになっている。また、上皿部材８の正面には、カードユニット１１に投入したプリペイドカードを遊技者に返却するよう指示するカード返却ボタン２５と、所定個数単位の遊技球ｘを貸球として払い出すよう指示する球貸ボタン２６と、カードユニット１１に投入したプリペイドカードの残高を表示する度数表示器２７とを備えるカード操作部２８が設けられている。
【００２５】
一方、前枠４の前面下部に位置する下皿部材１９は、その上部に遊技球を貯留する下部貯留領域２１を有する。下部貯留領域２１は、図８に示すように、隔壁５６により、その右前縁に沿った細長形状の整流通路５４と、該整流通路５４の左端と連通する幅広な滞留領域５３とに区画形成される。そして、滞留領域５３の右端に、連絡通路３８の流出口９２が開口しており、上部貯留領域３６から流下した遊技球が、この流出口９２から滞留領域５３へ流入すると共に、滞留領域５３の全ての遊技球は整流通路５４へ順次流入して、整流通路５４の右端に開口する取込口６６から、遊技開始に必要な数の遊技球が適時取り込まれるようになっている。また、図１に示すように、下皿部材１９の前面下部には、球抜操作具２０が設けられており、遊技者の球抜操作具２０の操作により、下部貯留領域２１の遊技球を遊技機外に排出可能となっている。なお、本発明の要部に係るため、上皿部材８及び下皿部材１９の詳細な構成は別途後述する。
【００２６】
裏機構板５は、上述のように前枠４の背面に着脱可能に装着されて、前枠４と共に遊技機本体３を構成するものであり、図３に示すように、その背面には、電子回路を組み込まれた基板１００〜１０６（図４参照）を内蔵する基板ユニット１３，１３が備え付けられる。これらの基板１００〜１０６は相互に電気的に接続されると共に、スロットマシン１に設けられた各種センサ、スイッチ、モータ、ランプ等と接続されており、遊技を統括する制御装置を構成する。また、図２，３に示すように、裏機構板５の上部には、遊技島設備の球供給装置から遊技球ｘの供給を受ける球タンク３０が設けられる。この球タンク３０は、裏機構板５内部に形成される球供給通路１７を通して、前記球供給口３５と連通しており、該球供給通路１７の中途位置に設けられた払出装置３１が作動すると、球タンク３０側に位置する所定数の遊技球ｘが、球供給口３５へ向けて送出されて、上部貯留領域３６に流入するようになっている。また、球供給口３５の奥には、満タンスイッチ４８が設けられる。この満タンスイッチ４８は、上部貯留領域３６が遊技球で満杯となった場合に、上部貯留領域３６に流入できずに、球供給口３５の奥に滞留した遊技球を検知してＯＮ作動する。かかる上部貯留領域３６への遊技球供給機構は、既存のパチンコ機の構成を好適に用いることが可能である。
【００２７】
次に、本実施例のスロットマシン１の遊技作動を制御する制御回路を、図４を参照して説明する。マイクロコンピュータを構成する主制御基板１００には、スロットマシン１の遊技制御を行うと共に、投入スイッチの操作に基づいて遊技球ｘの取込動作制御等を行うための基板回路が設けられている。この主制御基板１００の基板回路には、周辺機器とデータ通信を行う入力ポート及び出力ポート（図示省略）が設けられており、この出力ポートを介して主制御基板１００からの制御信号が、払出制御基板１０１、表示制御基板１０２、ランプ制御基板１０３、情報端子基板１０５の各入力ポートに向けて出力されるように接続されている。また、主制御基板１００の入力ポートには、上述したスタートレバー４１や各ＢＥＴボタン４２ａ〜４２ｃ、ストップボタン４３ａ〜４３ｃのスイッチが接続されており、主制御基板１００は２ｍｓごとにこれらの操作状態を調べ、その操作に応じて遊技状態を制御する。また、主制御基板１００には、後述する整流通路５４に設けられる貯留球検知スイッチ７５ａ〜７５ｃや、球取込装置５０の取込モータ７２、球取込装置５０により取り込まれた遊技球を検知する取込球検知スイッチ７７も接続される。
【００２８】
上記払出制御基板１０１には、遊技球の払出作動の制御を行うための基板回路が設けられる。この基板回路は、上記払出装置３１と接続されており、主制御基板１００から入力されたコマンドに従い払出装置３１を作動させて、貸球や賞球の払い出しを実行する。また、払出制御基板１０１は、貸球数を記憶したプリペイドカードの読込みや書込みを行う付属装置であるカードユニット１１と、このプリペイドカードのデータ処理を中継するＣＲ接続基板１０４を介して接続され、遊技球ｘの残球データ等をやり取りする。さらに、払出制御基板１０１には、前記球タンク３０内の球切れを検出するための球切れスイッチや、上部貯留領域３６が遊技球で満杯になったことを検知するための満タンスイッチ４８とも接続されている。
【００２９】
上記表示制御基板１０２は、回転ドラム１２ａ〜１２ｃの停止制御を行うための基板回路が設けられる。この基板回路には、各回転ドラム１２ａ〜１２ｃを回転駆動するドラムモータと、回転ドラム１２ａ〜１２ｃの回転角度を検出する基準位置センサと接続され、主制御基板１００から入力されたコマンドに従ってドラムモータを作動させ、各回転ドラム１２ａ〜１２ｃを回転させると共に、所定回転角度で停止させる。また、表示制御基板１０２には、液晶表示装置２９も接続されており、主制御基板１００からのコマンドに応じて、液晶表示装置２９に表示制御信号を送信し、様々な演出表示を実行させる。また、表示制御基板１０２は、回転ドラム１２ａ〜１２ｃの下方に設けられた各種表示器１４〜１６と接続されると共に、効果音や音声の出力制御を行う音声制御基板１０６を介してスピーカとも接続されている。
【００３０】
上記ランプ制御基板１０３には、入賞ラインランプ２４や、操作部３９のスタートランプ４０や各種ボタン４２ａ〜４２ｃ，４３ａ〜４３ｃに内蔵されたランプと接続されており、主制御基板１００から入力されたコマンドに従い各種ランプを点灯制御して、入賞ラインやボタン操作が有効となったことを遊技者に報知する。
【００３１】
また、上記情報端子基板１０５は、遊技島設備の集中管理装置１０７と接続するためのものであり、主制御基板１００や払出制御基板１０１から送られた賞球数や大当り回数等の情報を、この基板を介して集中管理装置１０７へ送信することができる。
【００３２】
上述したように、本実施例のスロットマシン１は、遊技機本体３の前面下部に、上皿部材８と下皿部材１９が設けられており、払出装置３１が送出した遊技球ｘを上皿部材８の上部貯留領域３６へ払い出すと共に、上部貯留領域３６の遊技球ｘを下皿部材１９の下部貯留領域２１へ流下させ、遊技の開始に必要な遊技球を、該下部貯留領域２１から取り込むようにしている。以下に、これらの構成について詳細に説明する。
【００３３】
上皿部材８は、図１，２に示すように、前扉６の下部に固着されて、前扉６の閉止時に遊技機本体３の前面に位置するように設けられる。この上皿部材８は、直方体形状に成形された樹脂材よりなり、図５，８に示すように、その上部に、遊技球を貯留する上部貯留領域３６が設けられる。また、図９に示すように、上皿部材８の内部は空洞となっており、その右側に、上部貯留領域３６と下皿部材１９の下部貯留領域２１と連通する連絡通路３８が形成される。上部貯留領域３６は、図５，８に示すように、前扉６を貫通する左後部の球供給口３５を介して、裏機構板５に設けられた払出装置３１と連通しており、払出装置３１から払い出された遊技球ｘは、この球供給口３５から上部貯留領域３６に流入する。一方、上部貯留領域３６の右側底面には、連絡通路３８への流入口９１が形成されると共に、上部貯留領域３６の底面は緩やかに該流入口９１へ下り傾斜しており、上部貯留領域３６の遊技球ｘを連絡通路３８に流入させるようになっている。
【００３４】
連絡通路３８は、図５〜７に示すように、上皿部材８と下皿部材１９の内部右側に上下方向に設けられて、上部貯留領域３６と下部貯留領域２１とを連通し、流入口９１から流入した上部貯留領域３６の遊技球ｘを、下部貯留領域２１へ流下させる。ここで、図９〜１１に示すように、連絡通路３８の、上皿部材８を貫通する部分には、右部に待機領域９９が連成される。この待機領域９９には、遊技球ｘが円滑に連絡通路３８を流下し得る場合には遊技球ｘは侵入せず、下部貯留領域２１が満杯となり、遊技球ｘが連絡通路３８から流出不可能となった場合に、滞留した遊技球が側部の待機領域９９に侵入するようになっている。そして、この待機領域９９に臨む位置には、下部貯留領域２１が遊技球で満杯である時に作動する満杯作動部材９４が設けられる。また、満杯作動部材９４の上方には、遊技球が連絡通路３８を流下可能な開放位置ａと流下不可能な閉鎖位置ｂとに選択的に保持される開閉部材９３と、満杯作動部材（貯留量検出部材）９４と開閉部材９３とを連係する連係制御手段（９６，９７，９８）とが設けられる。
【００３５】
満杯作動部材（貯留量検出部材）９４は、連絡通路３８を臨む位置に軸支される正面略扇形の樹脂部材よりなる。この満杯作動部材９４は、図１１に示すように、待機領域９９内に位置する下方の定常位置ｃ（図１１（イ））と、待機領域９９から退避する上方の作動位置ｄ（図１１（ロ））との間を傾動可能となっており、通常は、重力により付勢されて、図１０（イ）に示すように下方の定常位置ｃにあり、図１０（ロ）に示すように、待機領域９９に遊技球ｘが侵入して滞留すると、該遊技球ｘに滞留した遊技球ｘに押圧されて、作動位置ｄに押し上げられる。すなわち、かかる満杯作動部材９４は、定常位置ｃにある状態を非作動状態に、作動位置ｄにある状態を作動状態とするものであり、下部貯留領域２１の満杯時に、待機領域９９に遊技球ｘが侵入することにより、定常位置ｃから作動位置ｄに変位して作動する。
【００３６】
一方、開閉部材９３は、満杯作動部材９４の上方に軸支される正面略扇形の樹脂部材よりなる。この開閉部材９３は、図１１に示すように、下方に垂下する開放位置ａ（図１１（イ））と、略水平となる閉鎖位置ｂ（図１１（ロ））との間を傾動可能となっており、連係制御手段により、両位置に選択的に保持される。そして、開閉部材９３は、その閉鎖位置ｂで、満杯作動部材９４の上方位置において連絡通路３８を閉鎖して、遊技球ｘが連絡通路３８を流下不可能とする。
【００３７】
そして、連係制御手段は、満杯作動部材９４と開閉部材９３を機械的に連係し、満杯作動部材９４が定常位置ｃから作動位置ｄに変換すると、開閉部材９３を開放位置ａから閉鎖位置ｂへ傾動変換する連係制御機構９６〜９８からなる。具体的には、連係制御機構９６〜９８は、開閉部材９３の軸支部周りに設けられた歯車部９８と、該歯車部９８と噛合する歯車９６と、該歯車９６と噛合する略Ｌ字形の昇降ラック９７により構成される。そして、図１０，１１に示すように、昇降ラック９７を満杯作動部材９４に上方から当接させることにより、満杯作動部材９４と開閉部材９３とを機械的に連係し、満杯作動部材９４が定常位置ｃにある場合には、開閉部材９３を開放位置ａに保持し、満杯作動部材９４が作動して、作動位置ｄに傾動した場合には、開閉部材９３を閉鎖位置ｂに傾動変換して、満杯作動部材９４が定常位置ｃに復帰するまで、開閉部材９３を閉鎖位置ｂに保持する。
【００３８】
このように、本実施例にあっては、下部貯留領域２１が満杯となり、待機領域９９に遊技球が侵入すると、満杯作動部材９４が作動位置ｄに傾動し、下部貯留領域２１の満杯状態が解消し、待機領域９９に滞留した遊技球ｘが下部貯留領域２１に流下すると、満杯作動部材９４は定常位置ｃに復帰する。そして、この満杯作動部材９４の作動位置ｄへの傾動（作動）と、定常位置ｃへの復帰に合わせ、開閉部材９３を傾動させることにより、下部貯留領域２１の貯留量に応じて、連絡通路３８を適切に開閉することができる。特に、本実施例の、満杯作動部材９４や連係制御手段は、全て機械的に構成されているため、少ない部品点数で製造可能であり、また、全ての機構を、連絡通路３８の近傍の狭い領域に集約して配設することもできる。なお、本発明にかかる連係制御手段は、歯車やラックを用いた機構に限らず、棒リンク機構など様々な連係機構を利用することができる。また、開閉部材９３や満杯作動部材９４等をバネなどの弾性部材を用いて付勢することも可能である。
【００３９】
下皿部材１９は、図５，１２に示すように、上皿部材８と類似した直方体形状の成形樹脂材よりなり、その上部に、遊技球ｘを貯留する下部貯留領域２１が形成される。そして、この下皿部材１９も内部が空洞となっており、図１３，１４に示すように、その内部の空洞に、遊技球ｘを取り込む球取込装置５０や遊技球を流下させる通路等が設けられる。下部貯留領域２１は、図５，１２に示すように、右縁から左方に延成される隔壁５６により、右前縁に沿った細長形状の整流通路５４と、貯留する遊技球ｘを整流通路５４へ流下させる滞留領域５３とに区画される。滞留領域５３の右端部には、連絡通路３８の流出口９２が形成されており、上部貯留領域３６から連絡通路３８に流入した遊技球ｘが、この流出口９２から滞留領域５３に流入する。そして、滞留領域５３の底面は、整流通路５４の左端の入口に向かう下り勾配が形成されており、滞留領域５３の遊技球ｘが、整流通路５４に順次流入するようになっている。
【００４０】
整流通路５４は、図１２，１３に示すように、下部貯留領域２１の前縁と、隔壁５６との間に、細長形状に区画形成される。この整流通路５４は、遊技球一個が通れる幅寸法をなし、その右端を先頭として、１５個の、すなわち賭数三単位分の遊技球ｘが一列に整列し得る長さとされる。また、整流通路５４は、右に向かって下方傾斜しており、その上流端（左端部）を滞留領域５３から遊技球が流入する入口とすると共に、その下流端部（右端部）の底面には、一個の遊技球ｘが通過可能な取込口６６が開口し、この取込口６６の下方に球取込装置５０が設けられる。また、整流通路５４に整列する遊技球ｘの、先頭から５個目、１０個目及び１５個目を臨む位置に、それぞれ貯留球検知スイッチ７５ａ〜７５ｃが配設される。これらのスイッチ７５ａ〜７５ｃは、夫々の臨む位置に遊技球ｘが存在するとＯＮ作動するものであり。かかるスイッチ７５ａ〜７５ｃの作動状況により、主制御基板１００が整流通路５４に５個（賭数一単位）以上、１０個以上若しくは１５個（賭数三単位）以上の遊技球ｘが整列しているか否かを判定する。
【００４１】
取込口６６の下方に設けられる球取込装置５０は、図１３，１５，１６に示すように、スプロケット７１と該スプロケット７１を回転させる取込モータ７２とで構成され、整流通路５４の下方に取り付けられて、スプロケット７１を取込口６６の直下に位置させる。取込モータ７２は、ステッピングモータよりなり、裏機構板５に設けられた主制御基板１００に接続されて、該主制御基板１００からの制御信号に応じた回転角度で、スプロケット７１を回転駆動させる。一方、スプロケット７１は、整流通路５４の幅寸法と略等しい厚み寸法を有すると共に、その周部に、三つの凹部７０が等間隔に形成された側面略Ｙ字型をなすものであり、各凹部７０が取込口６６と対向することにより、整流通路５４から該凹部７０に一つの遊技球ｘを取込可能となると共に、各凹部７０の間の係止部７３を取込口６６と対向することにより、取込口６６を閉塞し、遊技球ｘを整流通路５４の下流端部で係止可能とする。また、図１５，１６に示すように、スプロケット７１の後方には、後方へ伸びる取込球排出路４９が樋部材により形成されており、取込モータ７２がスプロケット７１を回転させて、取込口６６から遊技球ｘを収容した凹部７０が、この取込球排出路４９の入口に対向すると、該遊技球ｘが取込球排出路４９に排出されるようになっている。また、図１３に示すように、スプロケット７１の外周面は、右方向に縮径しており、後述するように、整流通路５４の先頭で係止する遊技球ｘを、右方へ案内するようになっている。
【００４２】
また、取込球排出路４９は、下り傾斜しながら取付パネル３３を貫通しており、取込球排出路４９に流入した遊技球ｘを、取付パネル３３の背面側へ流下させる。ここで、取込球排出路４９の中途位置には、球取込装置５０が取り込んだ遊技球を検出する取込球検知スイッチ７７が設けられる。この取込球検知スイッチ７７は、上述したように主制御基板１００に接続されており、球取込装置５０により取り込まれた遊技球ｘが取込球排出路４９を通過する度に、この取込球検知スイッチ７７がＯＮ作動し、これにより、主制御基板１００が遊技球ｘを取り込んだと判断する。そして、図３に示すように、この取込球排出路４９は、遊技機本体３の背面側まで通じており、取込球検知スイッチ７７に検知された遊技球ｘは遊技島設備へと排出される。
【００４３】
以下に、下部貯留領域２１からの遊技球の排出機構について詳述する。
本実施例の下皿部材１９には、下部貯留領域２１の遊技球ｘを遊技機外に排出するための球抜口８０，８２が二箇所に形成される。第一球抜口８０は、図１２，１３に示すように、滞留領域５３の、遊技球ｘが整流通路５４に流入する部分の底面に配設される。この第一球抜口８０の下方には、下皿部材１９の下方に連通する第一球抜通路５２ａが配設されており、この第一球抜口８０に流入した遊技球ｘは、第一球抜通路５２ａを介して遊技機外に排出される。一方、第二球抜口８２は、図１３に示すように、整流通路５４の下流端部の、突き当て面に配設される。この第二球抜口８２は、図１４〜１６に示すように、樋部材により形成される第二球抜通路５２ｂの入口を構成しており、第二球抜口８２に流入した遊技球ｘは、第二球抜通路５２ｂを流下して、第一球抜通路５２ａに流入し、遊技機外へと排出される。ここで、図１３に示すように、滞留領域５３の底面に配設される第一球抜口８０は、細長形状の整流通路５４の下流端部に配設される第二球抜口８２の開口面積よりも大きくなっており、第二球抜口８２を介するよりも速やかに遊技球ｘを排出可能となっている。また、この第一球抜口８０は、図１２に示すように、整流通路５４への出口部分の底面に配設されるため、第一球抜口８０の開放時に、滞留領域５３及び上部貯留領域３６の遊技球ｘの全てが、整流通路５４に流入することなく、第一球抜口８０から排出されるようになっている。
【００４４】
そして、下皿部材１９には、各球抜口８０，８２を開放する位置と閉止する位置に移動可能な第一開閉蓋８１と第二開閉蓋８３が設けられると共に、各開閉蓋８１，８３を位置変換させ得る球抜操作手段が配設される。
【００４５】
第一開閉蓋８１は、図１６〜１８に示すように、板状樹脂片からなり、第一球抜口８０を横断状に閉止する右方位置と、第一球抜口８０から退避して、第一球抜口８０を開放する左方位置との間を移動可能に設けられる。また、第一開閉蓋８１の左部には、球抜操作具２０と連係するラック８６ｂが一体的に設けられる。第二開閉蓋８３も板状樹脂片からなり、第二球抜口８２を縦断状に閉塞する下方位置と、矩形の開口部８４を第二球抜口８２と一致させて、第二球抜口８２を開放する上方位置との間を移動可能に設けられる。また、この第二開閉蓋８３の下部にも、球抜操作具２０と連係するラック８６ｄが一体的に設けられる。
【００４６】
球抜操作手段は、下皿部材１９の前面下部に水平移動可能に取り付けられた球抜操作具２０と、該球抜操作具２０の動きを第一開閉蓋に伝達して従動させる第一歯車機構と、球抜操作具２０の動きを第二開閉蓋に伝達して従動させる第二歯車機構とを具備してなる。球抜操作具２０は、図５に示すように、下皿部材１９の前面下部から前方に突出し、左右に移動可能に保持される。この球抜操作具２０は、図１８に示すように、下皿部材１９の内部で左右に伸びる連係部材８５の中央前縁に設けられており、連係部材８５と一体的に左右に移動する。なお、連係部材８５は、図示しない弾性部材により、右方向に付勢されており、常態では、球抜操作具２０は可動範囲の右端に位置しており、この位置を球抜操作具２０の定常位置としている。また、連係部材８５の左右両端部には、上面に歯部を有するラック８６ａ、８６ｃが一体的に設けられる。
【００４７】
連係部材８５の左端部に設けられるラック８６ａは、球抜操作具２０の動きを第一開閉蓋８１に伝達する第一歯車機構を構成するものであり、図１７，１８に示すように、第一歯車機構は、このラック８６ａと、第一開閉蓋８１と一体的に設けられたラック８６ｂと、各ラック８６ａ，８６ｂと噛合して連係する二つのピニオン８７ａ，８７ｂとからなる。そして、球抜操作具２０が遊技者に移動操作され、連係部材８５に設けられたラック８６ａが連動して左方に移動すると、この移動に伴いピニオン８７ａ，８７ｂが回転して、第一開閉蓋８１を左方に従動させる。
【００４８】
一方、連係部材８５の右端部に設けられるラック８６ｃは、球抜操作具２０の動きを第二開閉蓋８３に伝達する第二歯車機構を構成するものであり、図１７，１８に示すように、第二歯車機構は、このラック８６ｃと、第二開閉蓋８３に一体的に設けられたラック８６ｄと、各ラック８６ｃ，８６ｄと噛合して連係する半円形のピニオン８７ｃとからなる。そして、第一歯車機構と同様に、球抜操作具２０が遊技者に移動操作され、連係部材８５に設けられたラック８６ｃが連動して左方移動すると、この移動に伴いピニオン８７ｃが回転して、第二開閉蓋８３を上方に従動させる。ここで、図１８に示すように、ラック８６ｃには欠歯部８８が設けられており、球抜操作具２０を定常位置から左方に移動操作しても、ラック８６ｃの欠歯部８８がピニオン８７ｃの歯部と当接するため、しばらくの間、第二開閉蓋８３は従動せず、ラック８６ｃとピニオン８７ｃの歯部が相互に噛合してから第二開閉蓋８３は上方へ従動する。
【００４９】
本実施例のスロットマシン１の遊技作動を簡単に説明する。
本実施例のスロットマシン１では、５個の遊技球が賭数一単位を構成するものであり、遊技開始の度に下皿部材１９に貯留されている遊技球を、賭数単位で取り込ませて遊技を行う。本実施例の遊技形態では、一回のゲームに三単位までの賭数を設定可能となっており、この賭数の設定は三つのＢＥＴボタン４２ａ〜４２ｃの操作により行われる。すなわち、ＭＡＸＢＥＴボタン４２ａを操作すると、合計１５個の遊技球が球取込装置５０により遊技機内部に取り込まれ、２ＢＥＴボタン４２ｂを操作すると１０個の遊技球が、１ＢＥＴボタン４２ｃを操作すると５個の遊技球が球取込装置５０に取り込まれることとなる。なお、回転ドラム１２ａ〜１２ｃの回転中や、既に１５個の遊技球が取り込まれている場合、又は整流通路５４内の遊技球数が不足している場合などには、各ＢＥＴボタン４２ａ〜４２ｃを操作しても無効となり、球取込装置５０は作動しない。
【００５０】
ＢＥＴボタン４２ａ〜４２ｃの操作により、少なくとも賭数一単位分の遊技球が投入されるとスタートランプ４０が点灯する。このスタートランプ４０の点灯時にスタートレバー４１を押し下げ操作すると、回転ドラム１２ａ〜１２ｃが回転開始する。そして、この回転中に、各ストップボタン４３ａ〜４３ｃを押圧操作すると、その操作タイミングに基づいて、主制御基板１００が図柄Ｐの停止態様を決定し、当該停止態様となるように各ドラムモータを停止させる。そして、回転ドラム１２ａ〜１２ｃが停止した際に、入賞ライン上の図柄Ｐが所定の組合せで揃った場合には「当り」となり、払出装置３１から所定数の遊技球が払い出されたり、遊技者に有利なボーナスゲーム等が実行されることとなる。なお、主制御基板１００により実行される回転ドラム１２ａ〜１２ｃの停止制御機構や、上記ボーナスゲーム等の遊技内容は、公知のスロットマシンと同様にすることが可能である。
【００５１】
次に、球取込装置５０による遊技球の取込作動について説明する。
ＢＥＴボタン４２ａ〜４２ｃが有効な時に、該ボタン４２ａ〜４２ｃを操作すると、主制御基板１００から取込モータ７２へパルス信号が送られる。取込モータ７２はステップ角が７．５°となっており、受信したパルス信号の数に応じて、図１９中反時計回りにスプロケット７１を回転させる。球取込装置５０は、図１９（イ）のように、スプロケット７１の係止部７３のいずれかを取込口６６に対向する位置を通常状態とするものであり、取込モータ７２は、常に通常状態で停止するように制御される。このため、取込モータ７２の停止時には、整流通路５４内の遊技球ｘは、その下流端部位置で係止部７３により係止されて、取込口６６へ流下不可能となっている。そして、取込モータ７２の停止状態で、主制御基板１００からパルス信号が送られて、取込モータ７２が通常状態からスプロケット７１を図１９中反時計回りに６０°回転させると、図１９（イ）〜（ハ）に示すように、その凹部７０が取込口６６と対向し、凹部７０内に整流通路５４内の遊技球ｘが一つ収容される。そして、スプロケット７１をさらに６０°回転させると、図１９（ハ）〜（ホ）に示すように、別の係止部７３が整流通路５４の出口と対向し再び通常状態となると共に、遊技球ｘを収容した凹部７０は、右側方の取込球排出路４９の入口と対向し、凹部７０に収容した遊技球ｘは、取込球排出路４９に流入し、取込球検知スイッチ７７に検出された後、取付パネル３３の背面側へと案内されて、遊技島の球回収装置へと排出されることとなる。
【００５２】
このように、本実施例にかかる球取込装置５０は、スプロケット７１を通常状態から図１９中反時計回りに１２０°回転させることにより、整流通路５４の先頭に位置する遊技球ｘ一個を凹部７０に収容し、続く遊技球ｘの流下を係止部７３で阻止しつつ、該遊技球ｘを取込球排出路４９へ排出する。従って、本実施例のスロットマシン１では、遊技者が１ＢＥＴボタンを操作して、賭数一単位（遊技球５個）の投入を要求した場合には、主制御基板１００は、スプロケットを上記方向に６００°（１２０°×５個）回転させるように取込モータ７２にパルス信号を送信し、取込口６６から５個（一単位）の遊技球を取り込ませる。同様に、主制御基板１００は、２ＢＥＴボタン４２ｂが操作された際には１２００°（１２０°×１０個）、ＭＡＸＢＥＴボタン４２ａが操作された際には１８００°（１２０°×１５個）回転させるように、取込モータ７２に制御信号を送信し、整流通路５４から１０個（二単位）、１５個（三単位）の遊技球を取り込ませる。なお、本実施形態では、取込モータ７２の作動中（取込動作中）以外に取込球検知スイッチ７７が遊技球ｘを検出しても、主制御基板１００は、当該遊技球ｘを取り込んだ遊技球として計数せず、無効としている。
【００５３】
次に、１ＢＥＴボタン４２ｃの操作に伴い実行される遊技球の取込制御態様例を、図２０のタイミングチャートを参照して具体的に説明する。まず、遊技者が１ＢＥＴボタンを押圧操作すると、ボタン内部の１ＢＥＴボタンスイッチ（１ＢＥＴボタンＳＷ）がＯＮ作動する。主制御基板１００は、この１ＢＥＴボタンスイッチのＯＮ作動を検知すると、賭数一単位の取込みが要求されたと判定し、当該ボタン操作が有効であるか否かの判定を行う。ここで、ボタン操作時には、回転ドラム１２ａ〜１２ｃが回転しておらず、かつ整流通路５４に５個以上の遊技球が整列し、賭数が０であるため、主制御基板１００は、当該ボタン操作を有効とし、賭数を一単位とした後、スプロケット７１を上記方向へ６００°回転させるように取込モータ７２へパルス信号を送信し、スプロケット７１を回転させる。そして、スプロケット７１の回転に伴い、取込口６６から取込球排出路４９へ遊技球が一つずつ排出される度に、取込球検知スイッチ７７（球検出ＳＷ）が即時にＯＮ作動し、主制御基板１００は該基板に設けられる球取込数カウンタを１加算する。そして、スプロケット７１が６００°回転し、球取込数カウンタが５個の遊技球を計数すると、主制御基板１００は賭数一単位を取り込んだと判断し、スタートランプ４０を点灯させてスタートレバー４１の操作を有効とする。その後、スタートレバー４１の押し下げ操作を行い、内蔵されるスタートレバースイッチ（スタートレバーＳＷ）がＯＮ作動すると、回転ドラム１２ａ〜１２ｃが回転開始しゲームが開始されると共に、主制御基板１００の賭数や取込球数カウンタはリセットされる。なお、本実施例のスロットマシン１では、スタートレバー４１を操作する前に、１ＢＥＴボタン４２ｃを再び操作すれば、さらに５個の遊技球を球取込装置５０に取り込むことが可能となっている。
【００５４】
次に、遊技作動に伴う上部貯留領域３６及び下部貯留領域２１の遊技球の貯留態様や、連絡通路３８の遊技球の流下態様について説明する。
入賞ライン上の図柄Ｐが所定の組合せで揃い「当り」となった場合や、カード操作部２８の球貸ボタンを押圧操作した場合に、払出装置３１は、主制御基板１００からの制御信号に従って所定数の遊技球を下方に払い出し、払い出された遊技球は、球供給通路１７を流下して、球供給口３５から上部貯留領域３６に流入する。ここで、下部貯留領域２１に遊技球ｘを受け入れる余裕がある場合には、上部貯留領域３６に流入した遊技球ｘは、図６，７に示すように、連絡通路３８に流入して、下部貯留領域２１へと流下して、整流通路５４に整列した後、上述したように、球取込装置５０に取り込まれて、取込球排出路４９を介して遊技島に排出されることとなる。
【００５５】
一方、ボーナスゲームが実行されるなどして、払出装置３１から多量の遊技球が払い出され、下部貯留領域２１が遊技球ｘで満杯となった場合には、連絡通路３８の流出口９２から遊技球ｘが流出不可能となり、連絡通路３８が閉塞されて、払出装置３１から払い出された遊技球は、上部貯留領域３６に貯留されることとなる。すなわち、図１０に示したように、下部貯留領域２１が満杯となって、連絡通路３８に滞留した遊技球ｘが待機領域９９に侵入すると、満杯作動部材９４が、かかる遊技球ｘに押圧されて傾動し、これに合わせて、開閉部材９３が閉鎖位置ｂに傾動し、遊技球ｘが流下しないように連絡通路３８を閉鎖する。かかる状態では、上部貯留領域３６に貯留される遊技球ｘは、連絡通路３８内において、開閉部材９３により、下方への流下を阻止されているため、上部貯留領域３６の遊技球が連絡通路３８を流下しようとする球圧が、下方の下部貯留領域２１の遊技球に加わることない。
【００５６】
また、遊技球ｘが取込口６６から取り込まれたり、球抜口８０，８２から排出されて、満杯であった下部貯留領域２１に遊技球ｘを受け入れる余裕ができた場合には、満杯作動部材９４の定常位置ｃへの復帰に伴って、開閉部材９３が開放位置ａへ傾動し、連絡通路３８が開放されることにより、上部貯留領域３６の遊技球ｘが、連絡通路３８を介して、下部貯留領域２１に補充されることとなる。なお、多量の遊技球ｘが払い出され、上部貯留領域３６も満杯となった場合には、上部貯留領域３６に流入不可能となり、球供給口３５の奥に滞留した遊技球によって満タンスイッチ４８がＯＮ作動する。そして、このＯＮ作動により、主制御基板１００は、遊技球ｘを払い出すスペースがなくなったと判断し、球取込装置５０を強制的に停止させて、遊技を続行不可能とすることにより、遊技者に貯留された遊技球ｘの排出を促す。このため、遊技者は、遊技の中断を防ぐため、上部貯留領域３６が満杯となる前に、後述するように、球抜操作具２０を操作して、下部貯留領域２１から遊技球ｘを排出しなくてはならない。
【００５７】
このように、本実施例のスロットマシン１では、下皿部材１９が遊技球で満杯となった場合には、下皿部材１９の上方に設けられた上皿部材８の上部貯留領域３６に遊技球ｘが貯留される。そして、この上部貯留領域３６に貯留した遊技球ｘは、自動的に連絡通路３８を介して流下して下部貯留領域２１に補充されるため、遊技者が、遊技球を手ずから補充する手間が少なくて済む。特に、上部貯留領域３６に遊技球を貯留する場合には、連絡通路３８を開閉部材９３により閉塞しているため、上部貯留領域３６の遊技球の球圧が下部貯留領域２１に加わることがなく、上部貯留領域３６に遊技球を多量に貯留した場合でも、下部貯留領域２１の遊技球を、上方からの球圧によって溢れさせたり、詰まらせたりすることなく、安定して貯留することができる。特に、上述したように、本実施例では、整流通路５４に設けられた貯留球検知スイッチ７５ａ〜７５ｃによって、球取込装置５０に取込む前に、取込みに必要な遊技球数が貯留されているか否かの確認を行っているが、本構成のように、下部貯留領域２１の貯留状態を安定化させれば、整流通路５４の遊技球ｘも、常に安定した整列状態を維持することができ、貯留球検知スイッチ７５ａ〜７５ｃにより、遊技球数を正確に確認することが可能となる。また、かかる連絡通路３８で遊技球ｘの流下を制御する機構は、機械的に構成されるため、部品点数が少なく、満杯作動部材や連係制御手段を容易かつ低廉に製造可能となっている。また電力を要しない自己完結的な構成であり、上記のように連絡通路３８近傍の狭いスペースに集約させて設置可能である。
【００５８】
次に、球抜操作具２０の操作に伴い変換される、二つの球抜口８０，８２の開閉状態と、各開閉状態への変換態様について説明する。本実施例に係る下皿部材１９にあっては、二つの球抜口８０，８２の開閉状態には、両球抜口８０，８２が閉止する定常閉止状態と、第一球抜口８０のみが開放する第一球抜状態と、第一球抜口８０及び第二球抜口８２が開放する第二球抜状態との三つがある。まず、上述したように、連係部材８５は常に右方向に付勢されるため、図１７（イ），１８（イ）に示すように、球抜操作具２０を操作しない状態では、球抜操作具２０は右側の定常位置にある。そして、かかる状態では、第一開閉蓋８１は第一球抜口８０を閉止する右方位置にあり、また、第二開閉蓋８３も第二球抜口８２を閉止する下方位置にあり、両球抜口８０，８２が閉止する定常閉止状態となっている。ここで、第一開閉蓋８１は、ラック８６ａ，８６ｂ及びピニオン８７ａ，８７ｂの噛合によって右方位置に保持されているが、第二開閉蓋８３は、自重により下方位置に保持される。この定常閉止状態では、第一球抜口８０及び第二球抜口８２が閉止しているため、下部貯留領域２１の遊技球ｘは、いずれの球抜口８０，８２からも排出されることなく貯留され、上述のように球取込装置５０の作動により、下部貯留領域２１の遊技球を取込口６６から順次取込可能となっている。
【００５９】
次に、球抜操作具２０を定常位置から左方に移動操作すると、かかる操作に合わせて、連係部材８５両端のラック８６ａ，８６ｃが左方移動する。ここで、図１７（イ），１８（イ）に示すように、球抜操作具２０の定常位置では、連係部材８５の左端部のラック８６ａと、第一開閉蓋８１とは、ラック８６ｂ及びピニオン８７ａ，８７ｂを介して連係しているため、ラック８６ａの左方移動に伴い第一開閉蓋８１も左方に従動し、第一球抜口８０が開放する。一方、球抜操作具２０の定常位置では、ラック８６ｃの欠歯部８８とピニオン８７ｃの歯部が当接しており、球抜操作具２０を定常位置から左方に操作しても、ラック８６ｃの歯部とピニオン８７ｃの歯部が噛合するまでは、第二開閉蓋８３は、球抜操作具２０の動きに対して従動しない。このため、図１７（ロ），１８（ロ）に示すように、球抜操作具２０を定常位置から左方に移動操作すると、まず、第一開閉蓋８１のみが従動し、第一球抜口８０のみが開放されて、定常閉止状態から第一球抜状態に変換することとなる。この第一球抜状態では、第一球抜口８０が開放されるため、図１７（ロ）に示すように、滞留領域５３に遊技球ｘが貯留される場合には、該遊技球ｘは順次第一球抜口８０へ流入し、第一球抜通路５２ａを通り、遊技機外に排出されることとなる。また、滞留領域５３が遊技球ｘで満杯であり、上部貯留領域３６にも遊技球ｘが貯留されている場合には、滞留領域５３の遊技球ｘが排出されるのに伴い、上部貯留領域３６の遊技球ｘも連絡通路３８を介して、滞留領域５３に流下して、第一球抜口８０から遊技機外に排出される。一方、第二球抜口８２は閉止されているため、整流通路５４の遊技球ｘは遊技機外に排出されない。このため、かかる第一球抜状態にあっては、滞留領域５３や上部貯留領域３６に貯留された遊技球ｘを遊技機外に排出しつつ、整流通路５４の遊技球ｘを球取込装置５０に取り込ませ、遊技を行うことが可能である。従って、多量の遊技球が払い出され、遊技中に遊技球ｘを排出する必要が生じた場合でも、遊技者は、球抜操作具２０を操作して第一球抜状態とすることで、遊技を中断することなく、滞留領域５３や上部貯留領域３６の遊技球ｘを遊技機外に排出し、球箱等に移し替えることができる。
【００６０】
球抜操作具２０を定常位置から左方に移動操作し、第一球抜状態とした状態から、さらに球抜操作具２０を左方に移動操作すると、図１７（ハ）、１８（ハ）に示すように、ラック８６ｃの歯部とピニオン８７ｃの歯部が噛合して、球抜操作具２０の移動操作に合わせて、第二開閉蓋８３が上方に従動し、第一球抜口８０に加えて第二球抜口８２も開放されて、第一球抜状態から第二球抜状態に変換する。この第二球抜状態では、第一球抜口８０及び第二球抜口８２が開放されるため、図１７（ハ）に示すように、滞留領域５３や上部貯留領域３６の遊技球ｘが第一球抜口８０から遊技機外に排出されるだけでなく、整流通路５４の遊技球ｘも、通路の下流端部の第二球抜口８２に流入し、球抜通路５２ａ、５２ｂを介して、遊技機外に排出されることとなる。このため、かかる第二球抜状態にあっては、上部貯留領域３６及び下部貯留領域２１の遊技球ｘ、すなわち遊技者がスロットマシン１に貯留する全ての遊技球ｘを遊技機外に排出することが可能であり、遊技を終了する際に、貯留する遊技球ｘを、スロットマシン１に残すことなく回収できる。
【００６１】
このように、本実施例のスロットマシン１にあっては、下皿部材１９に取込口６６を設けることにより、下部貯留領域２１から遊技球ｘを好適に込むことができると共に、必要に応じて、下部貯留領域２１および上部貯留領域３６の遊技球ｘを遊技機外に排出することができる。
【００６２】
尚、本発明のスロットマシンは、上記した実施の形態に限定されるものではなく、本発明の要旨を逸脱しない範囲内において種々変更を加え得ることは勿論である。例えば、下皿部材１９や上皿部材８は、前扉６や取付パネル３３を介して、遊技機本体３の前面に取り付けられているが、前枠４や裏機構板５に対して、直接取り付けることもできる。また、球抜口８０，８２にあっても、二箇所に設ける必要はなく、一箇所でも構わないし、球抜操作手段も多様に変更可能である。さらに、球取込装置５０に関しても、スプロケット７１と取込モータ７２からなる構成に限らず、取込モータ７２に替えてソレノイドを使用するなど、既知の球取込装置の構成を好適に用いることが可能であり、また、球取込装置５０の設置位置も取込口６６の直下に限らず、取付パネル３３の背面側に設けることも可能である。さらに、上記スロットマシン１では、遊技球５個を賭数一単位とし、遊技球を常に５個単位で取り込んでいるが、取り込む遊技球の数は適宜変更可能である。また、実施例においては、貯留量検出部材を、下部貯留領域２１が遊技球で満杯である時に作動する満杯作動部材９４により構成しているが、本発明に係る貯留量検出部材は、満杯時に限らず、下部貯留領域２１の遊技球ｘの貯留量が、所定量以上となると作動するものであればよい。例えば、実施例の満杯作動部材９４と同様のものを、連絡通路３８ではなく、下部貯留領域２１の上流領域に臨ませて軸支して、下部貯留領域２１に所定量以上の遊技球が貯留された場合に、貯留量検出部材が遊技球に押圧されて作動するようにした構成が挙げられる。
【００６３】
図２１には、貯留量検出部材や連係制御手段に電装品を用いた変形例を示す。なお、本変形例は、図示した部分以外は、上記実施例の構成を用いるものであり、上部貯留領域や下部貯留領域の詳細な説明は省略する。
かかる構成にあっては、開閉部材１１１は、開口部１１４を有する板状樹脂材からなる。この開閉部材１１１は、上下方向の連絡通路１１０を横断するように設けられ、開口部１１４を連絡通路１１０に一致させて、連絡通路を開放状態とする左方の開放位置ａ’と、連絡通路１１０を遮断して、連絡通路を閉鎖状態とする右方の閉鎖位置ｂ’とに選択的に保持される。貯留量検出部材は、連絡通路１１０の、開閉部材１１１の下方位置に取り付けられた満杯作動スイッチ１１２からなる。この満杯作動スイッチ１１２は、上記実施例同様の主制御基板（図示省略）に接続されており、その装着部位において、遊技球ｘが所定時間以上滞留すると、これに反応して作動（ＯＮ）する。そして、連係制御手段は、開閉部材１１１の両側に設けられたソレノイド１１３ａ，１１３ｂと、主制御基板を含む図示しない電気回路とで構成されており、満杯作動スイッチ１１２が、非作動状態（ＯＦＦ）から作動状態（ＯＮ）に切り替わると、開閉部材１１１の左方のソレノイド１１３ａを短時間作動させて、開閉部材１１１を閉鎖位置ｂ’に移動させ、満杯作動スイッチ１１２が、作動状態から非作動状態に切り替わると、開閉部材１１１の右方のソレノイド１１３ｂを短時間作動させて、開閉部材１１１を開放位置ａ’に移動させる。
【００６４】
図２２を参照して、かかる変形例の作動態様を示す。
まず、下部貯留領域が満杯でない場合には、開閉部材は左方の開放位置ａ’にあり、連絡通路１１０は開放状態にある。また、ソレノイド１１３ａ，１１３ｂはいずれも作動していない（図２２（イ））。この状態から、下部貯留領域が満杯となると、連絡通路１１０に遊技球ｘが滞留し、満杯作動スイッチ１１２が作動する。すると、これに基づいて、主制御基板が左方のソレノイド１１３ａを作動させて、開閉部材１１１が右方の閉鎖位置ｂ’に移動し、連絡通路１１０が閉鎖状態となる（図２２（ロ））。ここで、ソレノイド１１３ａの作動は短時間で終了するが、開閉部材１１１は閉鎖位置ｂ’に留まり、下部貯留領域の満杯が続く限り、連絡通路１１０は閉鎖される（図２２（ロ））。そして、下部貯留領域の満杯状態が解消されて、満杯作動スイッチ１１２付近に滞留していた遊技球ｘが、下部貯留領域に流入すると、満杯作動スイッチ１１２が作動停止する。これにより、主制御基板が、右方のソレノイド１１３ｂを作動させて、開閉部材１１１を開放位置ａ’に復帰させて、連絡通路１１０を開放状態とする（図２２（ロ））。このソレノイド１１３ｂの作動も短時間であるが、開閉部材１１１は開放位置ａ’に留まり、再び下部貯留領域が満杯となるまで、連絡通路１１０は開放することとなる。このように、本発明にかかる貯留量検出部材や連係制御手段は、電気的な構成によっても、好適に実現可能である。特に、本変形例にあっては、開閉部材１１１は、開放位置ａ’と閉鎖位置ｂ’の両位置に、保持力を要することなく留まることができるため、該開閉部材１１１を位置変換駆動する時に、ソレノイド１１３ａ，１１３ｂを短時間作動させるだけあり、電力消費量が極めて少ない。
【図面の簡単な説明】
【００６５】
【図１】スロットマシン１の正面図である。
【図２】スロットマシン１の平面図である。
【図３】スロットマシン１の背面図である。
【図４】遊技を制御する制御回路を示すブロック回路図である。
【図５】上皿部材８および下皿部材１９の分離斜視図である。
【図６】上皿部材８および下皿部材１９の正面図である。
【図７】上皿部材８および下皿部材１９の右側面図である。
【図８】上皿部材８の平面図である。
【図９】図８中のＡ−Ａ断面図である。
【図１０】図９中のＢ部分を拡大して、連絡通路３８の遊技球ｘの流下態様を示す説明図（イ），（ロ）である。
【図１１】満杯作動部材（貯留量検出部材）９４および開閉部材９３の連係態様を示す斜視図（イ），（ロ）である。
【図１２】下皿部材１９の平面図である。
【図１３】図１２中のＣ−Ｃ断面図である。
【図１４】図１２中のＤ−Ｄ断面図である。
【図１５】取込球排出路４９及び第二球抜通路５２ｂを開放して、遊技球ｘの流路を示す平面図である。
【図１６】取込球排出路４９、球抜通路５２ａ，５２ｂ等の配置関係を示す斜視図である。
【図１７】図１２中のＣ−Ｃ断面により、球抜口８０，８２の開閉状態を示す説明図であり、（イ）は定常閉止状態を、（ロ）は第一球抜状態を、（ハ）は第二球抜状態を示す。
【図１８】球抜口８０，８２の各開閉状態での、球抜操作具２０や第一開閉蓋８１、第二開閉蓋８３等の位置関係を示す説明図であり、（イ）は定常閉止状態を、（ロ）は第一球抜状態を、（ハ）は第二球抜状態を示す。
【図１９】取込口６６近傍の左側断面を拡大し、球取込装置５０の作動を示す説明図（イ）〜（ホ）である。
【図２０】遊技球の取込作動の一例を示すタイミングチャートである。
【図２１】変形例を示す連絡通路１１０の部分斜視図である。
【図２２】変形例の作動態様を示す説明図（イ）〜（ホ）である。
【符号の説明】
【００６６】
１  スロットマシン
２  外枠
３  遊技機本体
８  上皿部材
１７  球供給通路
１９  下皿部材
２１  下部貯留領域
３１  払出装置
３５  球供給口
３６  上部貯留領域
３８  連絡通路
４９  取込球排出路
５０  球取込装置
６６  取込口
９３  開閉部材
９４  満杯作動部材（貯留量検出部材）
９６  歯車
９７  昇降ラック
９８  歯車部
９９  待機領域
１００  主制御基板
１１０  連絡通路
１１１  開閉部材
１１２  満杯作動スイッチ（貯留量検出部材）
１１３ａ，１１３ｂ  ソレノイド
１１４  開口部
ａ，ａ’  開放位置
ｂ，ｂ’  閉鎖位置
ｃ  定常位置
ｄ  作動位置
ｘ  遊技球
【図１】
2006006475.tif 000003
【図２】
2006006475.tif 000004
【図３】
2006006475.tif 000005
【図４】
2006006475.tif 000006
【図５】
2006006475.tif 000007
【図６】
2006006475.tif 000008
【図７】
2006006475.tif 000009
【図８】
2006006475.tif 000010
【図９】
2006006475.tif 000011
【図１０】
2006006475.tif 000012
【図１１】
2006006475.tif 000013
【図１２】
2006006475.tif 000014
【図１３】
2006006475.tif 000015
【図１４】
2006006475.tif 000016
【図１５】
2006006475.tif 000017
【図１６】
2006006475.tif 000018
【図１７】
2006006475.tif 000019
【図１８】
2006006475.tif 000020
【図１９】
2006006475.tif 000021
【図２０】
2006006475.tif 000022
【図２１】
2006006475.tif 000023
【図２２】
2006006475.tif 000024